(57)【要約】【課題】より容易にゴルフボールを探し出すことを可能にすること。【解決手段】ゴルフボールに備えられた無線通信タグから送信された電波を受信する通信部と、ユーザーに情報を出力する出力部と、ゴルフボールに備えられた無線通信タグから受信された電波に応じて前記出力部を制御して情報を出力する制御部と、を備えるユーザー端末である。【選択図】図１
2020195669.tif 000002
【特許請求の範囲】
【請求項１】
ゴルフボールに備えられた無線通信タグから送信された電波を受信する通信部と、
ユーザーに情報を出力する出力部と、
ゴルフボールに備えられた無線通信タグから受信された電波に応じて前記出力部を制御して情報を出力する制御部と、
を備えるユーザー端末。
【請求項２】
前記制御部は、前記電波の受信強度に応じて前記出力部による出力態様を決定する、請求項１に記載のユーザー端末。
【請求項３】
前記無線通信タグは、前記通信部から送信された電波を受信することによって生じる電力で電波を送信し、
前記通信部は、電波を出力可能であり、
前記制御部は、前記無線通信タグから受信された電波の受信強度に応じて、前記通信部から電波を出力するタイミングを決定する、請求項１又は２に記載のユーザー端末。
【請求項４】
前記通信部が出力する電波は２．４ＧＨｚ帯の電波である、請求項３に記載のユーザー端末。
【請求項５】
電波を送信する無線通信タグを備えたゴルフボールと、ユーザー端末と、を備える探索システムであって、
前記ユーザー端末は、
前記ゴルフボールに備えられた無線通信タグから送信された電波を受信する通信部と、
ユーザーに情報を出力する出力部と、
前記ゴルフボールに備えられた無線通信タグから受信された電波に応じて前記出力部を制御して情報を出力する制御部と、
を備える。
【発明の詳細な説明】
【技術分野】
【０００１】
本発明は、ゴルフボールを探し出するための技術に関する。
【背景技術】
【０００２】
ゴルフのプレーヤーは、プレーの最中にクラブの選択、ボールの探索、スコアの管理など様々な作業を並行して行う必要がある。そのためプレーヤーの作業負担を軽減することを目的として、様々なゴルフツールが提案されている（例えば特許文献１参照）。
【０００３】
ゴルフのプレーでは、ボールを２００ヤード以上飛ばすことが頻繁に発生する。ボールが飛んだ後にフェアウェイで止まれば、比較的容易にボールを探し出すことが可能となる。一方、ボールがラフへ飛んでしまうと、その後にボールを探し出すことが困難になることがある。特に、深いラフや林の中へボールが飛んでしまうと、ボールの大凡の位置すら判断が困難になってしまうことがある。このような問題に対し、ボールから匂いを発生させることやボールから光や音を発生させることなどによってボールの探索を容易にする技術が提案されている。
【先行技術文献】
【特許文献】
【０００４】
【特許文献１】特開２００６−３３８３３６号公報
【発明の概要】
【発明が解決しようとする課題】
【０００５】
しかしながら、ゴルフ場には、例えば木や草などの匂いが立ちこめているため、匂いでボールを探し出すことは難しいことが多い。また、ボールが深いラフに入ってしまった場合には、ボールから発せられる光や音を感知することは非常に困難となる。そのため、依然としてゴルフボールをいかに探し出すかという課題は残っている。
上記事情に鑑み、本発明は、より容易にゴルフボールを探し出すことができる技術の提供を目的としている。
【課題を解決するための手段】
【０００６】
本発明の一態様は、ゴルフボールに備えられた無線通信タグから送信された電波を受信する通信部と、ユーザーに情報を出力する出力部と、ゴルフボールに備えられた無線通信タグから受信された電波に応じて前記出力部を制御して情報を出力する制御部と、を備えるユーザー端末である。
【０００７】
本発明の一態様は、上記のユーザー端末であって、前記制御部は、前記電波の受信強度に応じて前記出力部による出力態様を決定する。
【０００８】
本発明の一態様は、上記のユーザー端末であって、前記無線通信タグは、前記通信部から送信された電波を受信することによって生じる電力で電波を送信し、前記通信部は、電波を出力可能であり、前記制御部は、前記無線通信タグから受信された電波の受信強度に応じて、前記通信部から電波を出力するタイミングを決定する。
【０００９】
本発明の一態様は、上記のユーザー端末であって、前記通信部が出力する電波は２．４ＧＨｚ帯の電波である。
【００１０】
本発明の一態様は、電波を送信する無線通信タグを備えたゴルフボールと、ユーザー端末と、を備える探索システムであって、前記ユーザー端末は、前記ゴルフボールに備えられた無線通信タグから送信された電波を受信する通信部と、ユーザーに情報を出力する出力部と、前記ゴルフボールに備えられた無線通信タグから受信された電波に応じて前記出力部を制御して情報を出力する制御部と、を備える。
【発明の効果】
【００１１】
本発明により、より容易にゴルフボールを探し出すことが可能となる。
【図面の簡単な説明】
【００１２】
【図１】本発明の探索システム１００のシステム構成を示す概略ブロック図である。
【図２】ユーザー端末２０の機能構成を示す概略ブロック図である。
【図３】出力態様テーブルの具体例を示す図である。
【図４】出力部２４における表示例を示す図である。
【図５】ユーザー端末２０の動作の流れの具体例を示すフローチャートである。
【図６】ユーザー端末２０と情報提供装置３０とが連携して動作する場合のシーケンスチャートである。
【発明を実施するための形態】
【００１３】
以下、本発明の具体的な構成例について、図面を参照しながら説明する。
図１は、本発明の探索システム１００のシステム構成を示す概略ブロック図である。探索システム１００は、ゴルフボール１０、ユーザー端末２０及び情報提供装置３０を備える。ゴルフボール１０とユーザー端末２０とは無線通信を行う。ユーザー端末２０と情報提供装置３０とは、ネットワーク４０を介して通信する。ネットワーク４０は、無線通信を用いたネットワークであってもよいし、有線通信を用いたネットワークであってもよい。ネットワーク４０は、複数のネットワークが組み合わされて構成されてもよい。
【００１４】
ゴルフボール１０は、無線通信タグを備える。無線通信タグは、ゴルフボール１０の外側に貼られてもよいし、ゴルフボール１０の内部に埋め込まれてもよい。無線通信タグは、予め割り当てられた識別情報を記憶している。無線通信タグは、例えばパッシブタイプのＩＣタグやＲＦＩＤ（Radio Frequency IDentification）タグを用いて構成されてもよい。無線通信タグは、例えばパッシブタイプのBluetooth（登録商標）のチップを用いて構成されてもよい。特にパッシブタイプのタグやチップが用いられることによって、ゴルフボール１０が電池を備える必要が無くなり、安全性や可用性を向上させることができる。パッシブタイプのＩＣタグやＲＦＩＤタグやBluetooth（登録商標）のチップが用いられる場合には、無線通信タグはユーザー端末２０から放射された電波を反射することによって識別情報を送信してもよい。ゴルフボール１０の識別情報は、固有の情報であることが望ましい。ただし、ゴルフボール１０の識別情報は、同一の識別情報が割り当てられたゴルフボール１０が同一のラウンドで使用される可能性が非常に低い値（例えば１％以下）となる程度に多数の候補の値の中から一つが選ばれるように構成されてもよい。ゴルフボール１０の無線通信タグは、ユーザー端末２０との間で無線通信をすることによって、ユーザー端末２０に対して識別情報を送信する。
【００１５】
ユーザー端末２０は、ゴルフボール１０の無線通信タグと無線通信する装置である。ユーザー端末２０は、ユーザーによって携帯可能となるように重さや大きさが設計された装置である。ユーザー端末２０は、例えばスマートフォンやタブレット装置やウェアラブルコンピューター等の、携帯可能な情報処理装置であってもよい。ウェアラブルコンピューターの具体例として、例えばスマートウォッチやスマートグラス等の装置がある。ユーザー端末２０は、図２は、ユーザー端末２０の機能構成を示す概略ブロック図である。ユーザー端末２０は、第１通信部２１、第２通信部２２、入力部２３、出力部２４、位置取得部２５、記憶部２６及び制御部２７を備える。
【００１６】
第１通信部２１は、通信装置を用いて構成される。第１通信部２１は、ゴルフボール１０の無線通信タグとの間で無線通信する。第１通信部２１は、例えばBluetoothのプロトコルにしたがって所定の周波数の電波を出力する。第１通信部２１は、例えばＲＦＩＤのプロトコルにしたがって所定の周波数の電波を出力する。第１通信部２１は、指向性のある電波を出力するように構成されてもよいし、指向性の無い電波を出力するように構成されてもよい。第１通信部２１は、ゴルフボール１０の無線通信タグがパッシブタイプである場合には、パッシブタイプの無線通信タグと通信可能な装置を用いて構成される。第１通信部２１は、例えば２．４ＧＨｚ帯の周波数帯の電波を用いて通信を行ってもよい。第１通信部２１がBluetoothのプロトコルにしたがってゴルフボール１０と無線通信する場合には、ゴルフボール１０を打つ前に、ゴルフボール１０とユーザー端末２０との間でペアリングの処理が行われることが望ましい。
【００１７】
第２通信部２２は、通信装置を用いて構成される。第２通信部２２は、ネットワーク４０を介して他の通信装置や情報処理装置と通信する。第２通信部２２は、例えば情報提供装置３０との間でデータを送受信する。
【００１８】
入力部２３は、キーボード、ポインティングデバイス（マウス、タブレット等）、ボタン、タッチパネル等の既存の入力装置を用いて構成される。入力部２３は、ユーザーの指示をユーザー端末２０に入力する際にユーザーによって操作される。入力部２３は、入力装置をユーザー端末２０に接続するためのインタフェースであっても良い。この場合、入力部２３は、入力装置においてユーザーの入力に応じ生成された入力信号をユーザー端末２０に入力する。
【００１９】
出力部２４は、ユーザーに対して情報を通知することができる出力装置を用いて構成される。出力部２４は、例えばＬＥＤ等のランプを用いて構成されてもよい。出力部２４は、例えばスピーカーを用いて構成されてもよい。出力部２４は、例えば液晶ディスプレイや有機ＥＬ（Electro-Luminescent）ディスプレイ等の画像表示装置を用いて構成されてもよい。出力部２４は、振動を出力する装置（バイブレーター）を用いて構成されてもよい。出力部２４は、ユーザーに対して情報を通知することが可能であればどのような装置を用いて構成されてもよい。
【００２０】
位置取得部２５は、ユーザー端末２０の現在の位置を示す位置情報を取得する。位置取得部２５は、例えばＧＰＳ（Global Positioning System）装置を用いて構成されてもよい。位置取得部２５は、例えば移動体通信の複数の基地局から受信される信号の受信強度等に基づいて位置情報を取得するように構成されてもよい。この場合、位置取得部２５の機能の一部は制御部２７に実装されてもよい。
【００２１】
記憶部２６は、磁気ハードディスク装置や半導体記憶装置等の記憶装置を用いて構成される。記憶部２６は、制御部２７の処理に必要となる情報を記憶する。記憶部２６は、例えば探索対象テーブルを記憶する。探索対象テーブルは、ユーザーによって探索対象のゴルフボール１０の識別情報として登録される１又は複数の識別情報を有する。
【００２２】
記憶部２６は、例えば出力態様テーブルを記憶する。図３は、出力態様テーブルの具体例を示す図である。出力態様テーブルは、出力態様レコード２６１を複数有する。出力態様レコード２６１は、受信強度及び出力態様の値を有する。受信強度は、ゴルフボール１０から受信された電波の第１通信部２１における受信強度を示す。出力態様レコード２６１における受信強度の値は、値の範囲を示す情報であってもよい。
【００２３】
出力態様は、第１通信部２１における受信強度がその出力態様レコード２６１における受信強度の値の範囲内である場合に、出力部２４によって行われる出力の態様を示す。出力態様は、第１通信部２１における受信強度の値が高いほど、ボールが近くにあることを示す出力態様として定義される。
【００２４】
例えば、出力態様は、出力部２４がスピーカーである場合には、出力される音量を示してもよい。この場合、受信強度の値が高いほど大きな音量の音が出力されるように出力態様テーブルが定義されてもよい。出力態様は、出力部２４がスピーカーである場合には、出力される音程を示してもよい。この場合、受信強度の値が高いほど高い音程の音が出力されるように出力態様テーブルが定義されてもよい。ただし、出力される音程は、人の耳で十分に聞くことが可能な音程である。出力態様は、出力部２４がスピーカーである場合には、出力される音声の種類を示してもよい。例えば、受信強度の値に応じてボールまでの距離の程度を示す音声が出力されてもよい。例えば、受信強度の値が最も高い範囲である場合には「すぐ近くにボールがあります」という人の声が出力され、受信強度の値が中程度の範囲である場合には「近くにボールがあります」という人の声が出力され、受信強度の値が低い範囲である場合には「ボールが近くにあるかもしれません」という人の声が出力され、受信強度が最も低い範囲である場合には「ボールは近くにはありません」という人の声が出力されてもよい。出力態様は、出力部２４が画像表示装置を用いて構成される場合には、画像の表示態様を示してもよい。例えば、受信強度の値に応じてボールの画像の大きさが変化して表示されてもよい。
【００２５】
出力態様は、出力部２４がランプである場合には、ランプから出力される光の明るさを示してもよい。この場合、受信強度の値が高いほど明るい光が出力されるように出力態様テーブルが定義されてもよい。出力態様は、出力部２４が複数のランプである場合には、点灯するランプの数を示してもよい。この場合、受信強度の値が高いほど多くのランプが点灯するように出力態様テーブルが定義されてもよい。出力態様は、出力部２４が複数のランプである場合には、点灯するランプの位置を示してもよい。この場合、受信強度の値が高いほど、ボールがより近いことを示すランプが点灯するように出力態様テーブルが定義されてもよい。上述した出力態様テーブルの例は、一具体例にすぎない。出力態様テーブルは、どのように定義されてもよい。
【００２６】
図２の説明に戻る。制御部２７は、ＣＰＵ等のプロセッサーとメモリーとを用いて構成される。制御部２７は、プロセッサーがプログラムを実行することによって、対象ボール情報登録部２７１及び探索部２７２として機能する。なお、制御部２７の各機能の全て又は一部は、ＡＳＩＣ（Application Specific Integrated Circuit）やＰＬＤ（Programmable Logic Device）やＦＰＧＡ（Field Programmable Gate Array）等のハードウェアを用いて実現されても良い。上記のプログラムは、コンピュータ読み取り可能な記録媒体に記録されても良い。コンピュータ読み取り可能な記録媒体とは、例えばフレキシブルディスク、光磁気ディスク、ＲＯＭ、ＣＤ−ＲＯＭ、半導体記憶装置（例えばＳＳＤ：Solid State Drive）等の可搬媒体、コンピュータシステムに内蔵されるハードディスクや半導体記憶装置等の記憶装置である。上記のプログラムは、電気通信回線を介して送信されてもよい。
【００２７】
対象ボール情報登録部２７１は、ユーザーの操作に応じて、ゴルフボール１０の無線通信タグの識別情報を探索対象テーブルに登録する。例えば、予め定められている登録操作が入力部２３に対してなされることに応じて、対象ボール情報登録部２７１が登録対象の識別対象の入力を受け付ける状態（以下「登録状態」という。）になってもよい。このような登録状態である間は、対象ボール情報登録部２７１は、第１通信部２１を動作させることによって、通信可能な距離に位置するゴルフボール１０の無線通信タグから識別情報を受信してもよい。登録状態である場合には、対象ボール情報登録部２７１は、第１通信部２１から出力される電波の強度を、探索状態である場合に比べて低い強度に設定してもよい。このように構成されることで、ユーザーが登録しようと意図しているゴルフボール１０の無線通信タグのみから識別情報を受信することが可能となり、誤ってユーザーが意図しないゴルフボール１０の無線通信タグから識別情報を受信して登録してしまうことを防止できる。対象ボール情報登録部２７１は、登録状態の間に受信された識別情報を、探索対象テーブルに登録する。このように無線通信タグの識別情報を探索対象テーブルに登録する処理は、Bluetoothのペアリングとして実装されてもよい。この場合、上記の登録状態は、Bluetoothのペアリングの接続待機の状態として実装されてもよい。
【００２８】
探索部２７２は、ユーザーの操作に応じて、ゴルフボール１０の探索を行う。例えば、予め定められている開始操作が入力部２３に対してなされることに応じて、探索部２７２は探索を行う状態（以下「探索状態」という。）に移行し、探索を開始する。探索状態である場合には、探索部２７２は、第１通信部２１を動作させることによって、通信可能な距離に位置するゴルフボール１０の無線通信タグから識別情報を受信する。識別情報が含まれる電波が受信されると、探索部２７２は、受信された電波の受信強度に応じた出力態様を出力態様テーブルに基づいて決定する。探索部２７２は、決定された出力態様にしたがって出力部２４を動作させる。
【００２９】
探索部２７２は、探索対象テーブルに識別情報が登録されている場合には、探索対象テーブルに登録されている識別情報を含む電波が受信された場合にのみ、出力部２４を動作させる。このように構成されることによって、周囲に多くのゴルフボールが存在しているような状況であっても、予め探索対象テーブルに登録されたゴルフボール１０についてのみ探索を行うことが可能となり、より容易に所望のゴルフボール１０を発見することが可能となる。
【００３０】
探索部２７２は、電波の受信強度と、位置取得部２５によって取得される地位情報と、に基づいてゴルフボール１０の位置を推定する。例えば、位置取得部２５によって取得された位置情報を中心として、受信強度に応じた半径の円の内側の領域が、ゴルフボール１０が位置する位置として推定されてもよい。探索部２７２は、例えば複数の位置における推定結果の領域の全てに含まれる領域を、ゴルフボール１０が位置する位置として推定してもよい。探索部２７２は、推定結果を示す情報を、出力部２４を介して出力する。例えば、探索部２７２は、地図情報を提供する情報提供装置３０から地図情報を受信し、その地図情報上に推定結果の位置を重畳させた画面を出力部２４に表示させてもよい。
【００３１】
図４は、出力部２４における表示例を示す図である。図４の例では、出力部２４には、ユーザー端末２０が位置しているゴルフコースのホール（１２番ホール）の地図と、推定された位置（領域）を示す枠２４１と、ユーザー端末２０の位置を示す点２４２と、が表示されている。図４の例では、枠２４１は円形であるが、必ずしも円形である必要は無い。上述したように、複数の位置における推定結果の領域の全てに含まれる領域がゴルフボール１０の位置として推定される場合には、その領域の形状を示す枠２４１が表示される。
【００３２】
情報提供装置３０は、サーバーやパーソナルコンピューター等の情報処理装置を用いて構成される。情報提供装置３０は、ネットワーク４０を介して他の情報処理装置と通信可能に構成される。情報提供装置３０は、ユーザー端末２０を用いた探索に関するサービスを提供する。例えば、情報提供装置３０は、ユーザー端末２０や、ユーザー端末２０で動作するアプリケーションを利用可能にするための認証処理やオンラインアクティベーションを行うように構成されてもよい。情報提供装置３０は、例えばゴルフ場の地図を提供している他のアプリケーションとの連携を実現するための処理を行ってもよい。このような連携に応じて、情報提供装置３０は、ユーザー端末２０に対してゴルフ場の地図を示す情報を提供してもよい。
【００３３】
図５は、ユーザー端末２０の動作の流れの具体例を示すフローチャートである。制御部２７は、ユーザーによって入力部２３に対し所定の開始操作がなされるまでは、第１通信部２１から電波を出力させずに待機する（ステップＳ１０１−ＮＯ）。制御部２７は、ユーザーによって入力部２３に対し所定の開始操作がなされると（ステップＳ１０１−ＹＥＳ）、第１通信部２１から電波を出力させる（ステップ１０２）。制御部２７は、ゴルフボール１０の無線通信タグから送信された電波を受信すると、受信された受信強度を判定する（ステップＳ１０３）。制御部２７は、受信強度の判定結果に応じて出力態様を決定する（ステップＳ１０４）。制御部２７は、決定された出力態様で出力部２４を制御し出力を行う（ステップＳ１０５）。その後に、終了操作がなされるまでは、制御部２７は所定の周期でステップＳ１０２〜ステップＳ１０５の処理を繰り返し実行する（ステップＳ１０６−ＮＯ）。終了操作がなされると（ステップＳ１０６−ＹＥＳ）、制御部２７は探索状態の処理を終了する。
【００３４】
制御部２７は、所定の識別情報が含まれる電波が受信された場合にのみ、ステップＳ１０５の処理を行うように構成されてもよい。所定の識別情報とは、予めゴルフボール１０の無線通信タグの識別情報に用いられている所定のフォーマットの識別情報（例えば最初のｎ文字に所定の文字列が含まれる識別情報）であってもよい。制御部２７は、探索対象テーブルに登録されている識別情報が含まれる電波が受信された場合にのみ、ステップＳ１０５の処理を行うように構成されてもよい。
【００３５】
このように構成された探索システム１００では、ゴルフボール１０に予め付与された無線通信タグとの通信に応じてユーザー端末２０の出力部２４が動作する。そのため、ユーザーは、出力部２４による出力に基づいて、目に見えていないゴルフボール１０であっても容易にその位置を推定することが可能となる。その結果、ゴルフボール１０をより短い時間で探し出すことが可能となる。その結果、ゴルフボール１０が見つからないことや他人に自分のゴルフボール１０を探して貰うというユーザーの不安な気持ちを軽減することができ、ゴルフのプレーに臨むユーザーのメンタル状態を向上させることができる。
【００３６】
また、このように構成された探索システム１００では、ゴルフボール１０を探索するための装置として、専用装置ではなく、汎用的なユーザー端末２０が用いられてもよい。具体的には、普段からユーザーが携帯しているようなスマートフォンやウェアラブルコンピューター等の装置を用いてゴルフボール１０を探索することができる。そのため、専用装置が用いられる場合に比べて、ユーザーの負担を軽減し、利便性を向上させることができる。
【００３７】
（変形例）
探索部２７２は、受信強度に応じて第１通信部２１による電波の出力周期を可変に制御するように構成されてもよい。例えば、第１通信部２１による電波の出力周期は、受信強度が高いほど、より長い出力周期となるように制御されてもよい。このように構成されることによって、まだゴルフボール１０の大凡の位置も判明していない状態（受信強度がゼロである状態）では、相対的に短い周期で電波を出力することによって、少しでも早いタイミングで大凡の位置を判明させる事が可能となる。一方、既に探索対象のゴルフボール１０からの電波が高い受信強度で受信できている場合には、殆どその位置の目処がたっているため、相対的に長い周期で電波を出力したとしても十分にユーザーはゴルフボール１０を探し出すことが可能である。また、相対的に長い周期で電波を出力することによって、消費電力を抑える事が可能となる。
【００３８】
探索システム１００は、ゴルフボール１０及びユーザー端末２０を備えるシステムとして構成されてもよい。
【００３９】
ユーザー端末２０は、出力態様を変えずに１パターンの出力態様のみで構成されてもよい。このように構成されたユーザー端末２０を用いた場合であっても、従来よりも容易にゴルフボール１０を探し出すことが可能となる。
【００４０】
ユーザー端末２０の制御部２７が行う処理の一部又は全部は、情報提供装置３０によって行われてもよい。その場合、ユーザー端末２０は受信強度等の情報を情報提供装置３０に送信し、情報提供装置３０における処理の結果をユーザー端末２０が受信するように構成されてもよい。
【００４１】
図６は、ユーザー端末２０の制御部２７が行う処理の一部が情報提供装置３０によって行われる場合のシーケンスチャートである。図６の例では、ゴルフボール１０の位置はユーザー端末２０ではなく情報提供装置３０で推定される。
【００４２】
ユーザー端末２０は、受信強度が得られると、受信強度を示すデータ（受信強度情報）を生成する。ユーザー端末２０は、自装置の位置情報を取得する（ステップＳ２０２）。ユーザー端末２０は、受信強度情報及び位置情報を含む要求情報を生成する。そして、ユーザー端末２０は、要求情報を情報提供装置３０に送信する（ステップＳ２０３）。
【００４３】
情報提供装置３０は、情報要求を受信すると、情報要求に含まれる位置情報と受信強度とに基づいて、ゴルフボール１０の位置を推定する（ステップＳ２０４）。このとき、ゴルフボール１０の位置は領域として推定されてもよい。情報提供装置３０は、ユーザー端末２０が位置しているゴルフコースのホールの画像と、ゴルフボール１０の位置の推定結果と、を含む応答情報を生成する。そして、情報提供装置３０は、応答情報をユーザー端末２０に送信する（ステップＳ２０５）。
【００４４】
ユーザー端末２０は、応答情報を受信すると、応答情報に含まれる画像と推定結果とに基づいてゴルフボール１０の位置を示す画像を生成する（ステップＳ２０６）。そして、ユーザー端末２０は、生成された画像を出力部２４に表示する（ステップＳ２０７）。
【００４５】
ゴルフボール１０は、１又は複数のセンサーを備えてもよい。例えば、ゴルフボール１０は、重量センサーを備えてもよい。重量センサーによって圧力が計測されると、無線通信によって計測結果がユーザー端末２０に送信される。ユーザー端末２０は、第１通信部２１を介して計測結果を受信すると、受信結果に応じてゴルフにおける打数をカウントする。例えば、ショットの際に生じる衝撃によって重量センサーの計測結果が所定の閾値を超えると、ユーザー端末２０の探索部２７２は、１回のショットがあったものとして打数をカウントし、スコアを計数してもよい。その場合、ユーザー端末２０と連携する他の装置（例えばゴルフ関連デバイス）が誤検知情報を修正してもよい。また、探索部２７２は、他の装置によって記録されるパット情報にも基づいて、プレー全体のスコアの記録を行ってもよい。
【００４６】
ユーザー端末２０の探索部２７２は、重量センサーの計測結果に基づいて、ショットやスイングの強さを示す情報を判定してもよい。探索部２７２は、判定結果を出力部２４に出力してもよい。ユーザーは、この結果に基づいて、各スイングの良し悪しを判断することができる。一般的にドライバー等の飛ばし系クラブを利用した場合には、値が大きい方がよい。探索部２７２は、ユーザーのスコアの最高値をランキング形式で記録し表示してもよい。
【００４７】
ゴルフボール１０は、加速度センサーを備えてもよい。ユーザー端末２０の探索部２７２は、加速度センサーの計測結果に基づいて、ゴルフボール１０の動きを判定してもよい。例えば、探索部２７２は、加速度センサーの計測結果に基づいてゴルフボール１０の回転数を判定してもよい。
【００４８】
ゴルフボール１０は、ＭＣＵ（Micro Controller Unit）にメモリーを備えてもよい。メモリーは、センサーの計測結果を記録してもよい。
【００４９】
探索部２７２は、センサーの計測結果に基づいて得られる種々の情報を出力部２４において出力してもよい。例えば、ゴルフボールの飛距離の要素は「ボール初速」、「打ち出し角」、「バックスピン」であるが、上記３要素についてスイング時に記録し、理想値との差分を出力してもよい。例えば、一説によれば、ボール初速は速ければ速いほど良いし、打ち出し角は１２度〜１４度程度の値が適正といわれており、バックスピンは２２００〜２５００回転が適正といわれている。このような理想値との差分が出力されてもよい。また、左右への過度な曲がりを抑えるために、横回転が５００回転以下となっているか否かについて判定し、ユーザーに出力してもよい。
【００５０】
ユーザー端末２０は、ボールが発見される度にユーザーの入力を受け付けて登録するように構成されてもよい。このように構成されることによって、ボールの打数をプレー後に容易に計数することが可能となる。
【００５１】
ユーザー端末２０の探索部２７２は、同一のゴルフボール１０との間でBluetoothのペアリングが行われた回数を計数してもよい。探索部２７２は、この計数結果を、打数として取り扱ってもよい。例えば、探索部２７２は、あるゴルフボール１０との間でペアリングが行われ、他のゴルフボール１０との間でペアリングが行われるまでの計数結果を、ゴルフボール１０を失う（ロストする）までの打数として判定してもよい。探索部２７２は、このようなロストするまでの打数の平均値等の統計値を算出してもよい。
【００５２】
以上、この発明の実施形態について図面を参照して詳述してきたが、具体的な構成はこの実施形態に限られるものではなく、この発明の要旨を逸脱しない範囲の設計等も含まれる。
【符号の説明】
【００５３】
１００…探索システム，  １０…ゴルフボール，  ２０…ユーザー端末，  ２１…第１通信部、  ２２…第２通信部、  ２３…入力部、  ２４…出力部、  ２５…位置取得部、  ２６…記憶部、  ２７…制御部、  ２７１…対象ボール情報登録部、  ２７２…探索部、３０…情報提供装置，  ４０…ネットワーク
【図１】
2020195669.tif 000003
【図２】
2020195669.tif 000004
【図３】
2020195669.tif 000005
【図４】
2020195669.tif 000006
【図５】
2020195669.tif 000007
【図６】
2020195669.tif 000008